(57)【要約】【課題】ベッドサイド端末装置から病院内の医療情報システムと外部のネットワークの両方を安全にアクセスできるようにすることである。【解決手段】ベッドサイド端末装置１１は、パスワード等を入力するためのキー入力部、テレビ番組を表示するための表示部等を備え、病院内の医療情報システムのアクセス機能、インターネットのアクセス機能、テレビの映像信号の受信機能等を有する。切替ユニット１２は、インターネットに接続するか、病院内のイントラネットに接続するか、テレビアンテナ１３で受信されるテレビの映像信号をベッドサイド端末装置１１に出力するを切り換える。【選択図】図１
2006020877.tif 000002
【特許請求の範囲】
【請求項１】
病院内のベッドの近くに置かれるベッドサイド端末装置であって、
病院内の医療情報を提供する医療情報システムへの接続と、外部のネットワークへの接続と、テレビの映像信号の供給の何れかを切り換える切替装置を有し、
前記切替装置は、病院内の医療情報システムに対するアクセス許可が得られた場合には、前記ベッドサイド端末装置を前記医療情報システムにのみ接続し、外部のネットワークとの接続の許可が得られた場合には、前記ベッドサイド端末装置を外部のネットワークにのみ接続するベッドサイド端末装置。
【請求項２】
前記切替装置がテレビの映像信号を前記ベッドサイド端末装置に出力している場合には所定時間単位または日単位で課金を行い、前記切替装置がインターネットに前記ベッドサイド端末装置を接続している場合には所定時間単位または日単位で課金を行う課金手段を有する請求項１記載のベッドサイド端末装置。
【請求項３】
所定のＩＤコードとパスワードがベッドサイド端末装置から入力されたときインターネットとの接続を許可する信号を前記切替装置に出力するインターネット制御装置と、
所定のＩＤコードとパスワードがベッドサイド端末装置から入力されたとき、病院内の医療情報システムへの接続を許可する信号を前記切替装置に出力するイントラネット制御装置とを有する請求項１または２記載のベッドサイド端末装置。
【請求項４】
病院内のベッドの近くに置かれるベッドサイド端末装置から病院内の医療情報システムへのアクセスが可能なベッドサイド情報システムであって、
病院内の医療情報を提供する医療情報システムへの接続と、外部のネットワークへの接続と、テレビの映像信号の供給の何れかを切り換える切替装置を有し、
前記切替装置は、病院内の医療情報システムに対するアクセス許可が得られた場合には、前記ベッドサイド端末装置を前記医療情報システムにのみ接続し、外部のネットワークとの接続の許可が得られた場合には、前記ベッドサイド端末装置を外部のネットワークにのみ接続するベッドサイド情報システム。
【発明の詳細な説明】
【技術分野】
【０００１】
本発明は、病院内のベッドの近くに置かれるベッドサイド端末装置及びベッドサイド情報システムに関する。
【背景技術】
【０００２】
患者のカルテを電子化して、病院の医療スタッフがパーソナルコンピュータ等によりアクセスできるようにし、業務の効率化を図ることが行われている。
また、入院患者を医師が病院内を巡回して診察するときに、個々の患者の医療情報、あるいは治療に関する医療情報を診察現場で医師が直接入手できるような医療情報の提供システムも考えられている。
【０００３】
特許文献１には、入院患者のベッドサイドに設置される患者用端末装置を利用して、医療スタッフが患者の医療情報を得ることができるようにすることが記載されている。
また、特許文献２には、患者及び医療スタッフがベッドサイド端末を利用して医療情報を入手できるようにし、さらに、患者がベッドサイド端末を利用してビデオ情報や映像情報を見ることができるようにすることが記載されている。
【０００４】
入院患者が家庭に居るのと同じように生活できるように、パソコンを利用してインターネットをアクセスでき、メールの送受信も行えるようにすることが望まれている。
【特許文献１】特許第３３３６２４１号公報
【特許文献２】特開２０００−２８５１８１号公報
【発明の開示】
【発明が解決しようとする課題】
【０００５】
しかしながら、ベッドサイド端末装置が、病院内のシステムにのみ接続できるときには問題は発生しないが、インターネット等の外部のネットワークと接続できるようにすると、外部のネットワークから病院内の医療情報システムに対して不正なアクセスが行われる可能性がある。そのため、外部からの医療情報システムに対するアクセスを遮断する手段を設ける必要があり、セキュリティの確保を含めたシステム管理に手間がかるという問題点があった。
【０００６】
本発明の課題は、ベッドサイド端末装置から病院内の医療情報システムと外部のネットワークを安全にアクセスできるようにすることである。
【課題を解決するための手段】
【０００７】
本発明のベッドサイド端末装置は、病院内のベッドの近くに置かれるベッドサイド端末装置であって、病院内の医療情報を提供する医療情報システムへの接続と、外部のネットワークへの接続と、テレビの映像信号の供給の何れかを切り換える切替装置を有し、前記切替装置は、病院内の医療情報システムに対するアクセス許可が得られた場合には、前記ベッドサイド端末装置を前記医療情報システムにのみ接続し、外部のネットワークとの接続の許可が得られた場合には、前記ベッドサイド端末装置を外部のネットワークにのみ接続する。
【０００８】
この発明によれば、病院内の医療情報システムが外部のネットワークと直接接続されないので、外部のネットワークを自由にアクセスでき、かつ病院内の医療情報システムに対する外部からの不正なアクセスを防止できる。
【０００９】
ベッドサイド端末装置は、例えば、図１のベッドサイド端末装置１１及び切替ユニット１２に対応し、切替装置は切替ユニット１２に対応する。
本発明のベッドサイド端末装置の他の態様は、前記切替装置がテレビの映像信号を前記ベッドサイド端末装置に出力している場合には所定時間単位または日単位で課金を行い、前記切替装置がインターネットに前記ベッドサイド端末装置を接続している場合には所定時間単位または日単位で課金を行う課金手段を有する。
【００１０】
このように構成することでベッドサイド端末装置を利用してテレビを視聴した場合、あるいはインターネットを利用した場合に利用用途に応じて適正に課金することができる。
本発明のベッドサイド端末装置の他の態様は、所定のＩＤコードとパスワードがベッドサイド端末装置から入力されたときインターネットとの接続を許可する信号を前記切替装置に出力するインターネット制御装置と、所定のＩＤコードとパスワードがベッドサイド端末装置から入力されたとき、病院内の医療情報システムへの接続を許可する信号を前記切替装置に出力するイントラネット制御装置とを有する。
【００１１】
このように構成することで所定のＩＤコードとパスワードが入力されインターネットへの接続または医療情報システムへのアクセス許可されたとき、インターネット制御装置またはイントラネット制御装置から出力される信号に基づいてベッドサイド端末装置の接続先を切り換えることができる。
【発明の効果】
【００１２】
本発明によれば、病院内の医療情報システムと外部のネットワークが直接接続されないので、病院内の医療情報システムに対する外部のネットワークからの不正なアクセスを防止し、かつ入院患者がベッドサイド端末装置を外部のネットワークに接続することができる。
【発明を実施するための最良の形態】
【００１３】
以下、本発明の実施の形態を図面を参照して説明する。図１は、実施の形態の病院内のベッドサイド情報システムのシステム構成図である。
ベッドサイド端末装置１１は、ＩＤコード、パスワード等を入力するためのキー入力部と、テレビ番組、インターネットの情報等を表示するための表示部等を備え、切替ユニット１２と有線または無線より接続され、病院内の医療情報システムのアクセス機能、インターネットのアクセス機能、テレビの映像信号の受信機能等を有する。このベッドサイド端末装置１１は、ベッドの近くに置かれる収納ラックに収納され、あるいは伸縮可能なアーム状の部材を有し、そのアームがベッドの構造部材に取り付けられる。
【００１４】
切替ユニット１２は、インターネットに接続するか、病院内のイントラネットに接続するか、テレビアンテナ１３で受信されるテレビの映像信号をベッドサイド端末装置１１に出力するかの切り換えを行う。
【００１５】
課金機１４は、課金カードの挿入口を有し、挿入された課金カードの残高を確認し、残高が所定以上あるときには、切替ユニット１２からの問い合わせに対してテレビの視聴が可能であることを示す信号を出力する。
【００１６】
切替ユニット１２は、ベッドサイド端末装置１１からテレビの視聴要求があった場合、課金機１４に視聴に必要な残高が課金カードに存在するか否かを問い合わせ、課金機１４から残高が所定以上あって、視聴可能であることを示す応答信号を受信したなら、そのベッドサイド端末装置１１にテレビの映像信号を出力する。また、課金機１４から残高が不足し、課金できないとの応答信号を受信した場合には、テレビの映像信号をベッドサイド端末装置１１に出力しないような制御を行う。
【００１７】
インターネットＰＣ制御部１５は、インターネットへの接続の可否を決定する。インターネットＰＣ制御部１５は、ベッドサイド端末装置１１から入力されるＩＤコードとパスワードをインターネット管理サーバ１６に送信し、そのＩＤコードとパスワードのユーザがインターネット接続の契約を行っているか否かを確認する。ＩＤコードとパスワードが登録されているデータと一致した場合には、切替ユニット１２へ出力するインターネット信号をオンにしてインターネットへのアクセスが可能であることを通知し公衆回線１７に接続する。
【００１８】
イントラネットＰＣ制御部１８は、病院内のイントラネットに接続される電子カルテサーバ１９及び各種アプリケーションサーバ２０との接続の可否を決定する。電子カルテサーバ１９に対するアクセスは、医療スタッフ及び入院患者に割り当てられているＩＤコードとパスワードによりアクセス範囲が制限されており、許可されている範囲の医療データのみアクセスすることができる。各種アプリケーションサーバ２０は、イントラネットを介して種々の映像、音楽などのコンテンツを提供する。
【００１９】
次に、図２は、切替ユニット１２の構成を示す図である。切替スイッチ２１は、テレビとインターネットＰＣ制御部１５及びイントラネットＰＣ制御部１８との切替を行うスイッチである。この切替スイッチ２１は、ベッドサイド端末装置１１を使用する人が直接操作するスイッチでもよいし、ベッドサイド端末装置１１側からの操作によりオン、オフするスイッチでも良い。
【００２０】
切替部２２は、切替スイッチ２１の設定と、制御部２３の指示に従って回線制御部２４から出力されるＴＶアンテナ信号、イントラネットのデータ、あるいはインターネットのデータの内の１つを選択してベッドサイド端末装置１１に出力する。メモリ部２５は、切替スイッチ２１の状態を示すフラグＳＷ＿ｆｌａｇ、テレビ視聴の課金、インターネット接続の課金が可能か否を問い合わせる課金信号ｋａｋｉｎ等を記憶する。
【００２１】
次に、以上のような構成の切替ユニット１１の処理動作を図３及び図４のフローチャートを参照して説明する。以下の処理は、切替ユニット１１の制御部２３により実行される。
【００２２】
図３は、切替スイッチ２１の検出処理のフローチャートである。図３のステップＳ１１において、切替スイッチ２１がオンか、オフかを判別する。切替スイッチ２１がオンのときには（Ｓ１１，ＯＮ）、ステップＳ１２に進み、フラグＳＷ＿ｆｌａｇに「１」を設定する。他方、切替スイッチ２１がオフのときには（Ｓ１１，ＯＦＦ）、ステップＳ１３に進み、フラグＳＷ＿ｆｌａｇに「０」を設定する。
【００２３】
図４のステップＳ２１において、イントラネットＰＣ制御部１８から出力されるイントラネット信号がオンか否か、つまりイントラネットへの接続が許可されているか否かを判別する。
【００２４】
イントラネットＰＣ制御部１８は、ベッドサイド端末装置１１から出力されるＩＤコード及びパスワードが電子カルテサーバ１９により認証された場合に、イントラネットへのアクセスを許可するためにイントラネット信号をオンにする。
【００２５】
イントラネット信号がオンでなけば（Ｓ２１，ＮＯ）、ステップＳ２２に進み、フラグＳＷ＿ｆｌａｇが「０」か否かを判別する。
フラグＳＷ＿ｆｌａｇが「０」のときには（Ｓ２２，ＹＥＳ）、テレビ視聴が選択されている場合であるので、ステップＳ２３に進みインターネット信号をオフにし、次のステップＳ２４で、ＴＶ信号がオンか否か、つまりテレビの映像信号が入力しているか否かを判別する。ＴＶ信号がオンでないときには、ステップＳ２４の判別を繰り返す。
【００２６】
ステップＳ２４でＴＶ信号がオンと判別されたときには（Ｓ２４，ＹＥＳ）、ステップＳ２５に進み、課金機１４にテレビ視聴の課金が可能か否かを問い合わせる課金信号ｋａｋｉｎ＝１を出力する。次のステップＳ２６において、課金機１４からの応答があったか否かを判別する。課金機１４からの応答がなければ、ステップＳ２６の判別を繰り返す。
【００２７】
他方、課金機１４から応答があったときには（Ｓ２６、ＹＥＳ）、ステップＳ２７に進み、応答信号がｋａ_ｆｌａｇ＝１か否かを判別する。
応答信号がｋａ_ｆｌａｇ＝１のとき（Ｓ２７，ＹＥＳ）、すなわち、課金機１４に挿入された課金カードの残高が所定金額（例えば、０円）より大きいときには、ステップＳ２８に進み、ＴＶの映像及び音声信号をベッドサイド端末装置１１に出力する。
【００２８】
上記の処理により、課金カードの残高が一定以上あるときには、ベッドサイド端末装置１１を利用して好みの番組を視聴することができる。
ステップＳ２７において、フラグｋａ＿ｆｌａｇが「１」でないと判別されたとき（Ｓ２７，ＮＯ）、つまり課金カードに残高がないときには、ステップＳ２９に進み、ＴＶ信号をオフ、つまりテレビの映像信号をベッドサイド端末装置１１へ出力しないようにする。
【００２９】
上記の処理により、課金カードの残高が所定金額以上のときには、ベッドサイド端末装置１１によりテレビ視聴が可能となり、課金カードの残高が所定値未満となると、ベッドサイド端末装置１１でのテレビの視聴ができなくなる。
【００３０】
ステップＳ２２で、フラグＳＷ＿ｆｌａｇが「０」ではないと判別された場合には（Ｓ２２，ＮＯ）、ステップＳ３０に進み、ＴＶ信号をオフにして、次のステップＳ３１で、インターネット信号がオンか否か、つまりインターネットＰＣ制御部１５からインターネットへの接続を許可する信号が出力されたか否かを判別する。インターネット信号がオフであれば、ステップＳ３１の判別を繰り返す。
【００３１】
他方、インターネット信号がオンのときには（Ｓ３１，ＹＥＳ）、ステップＳ３２に進み、課金機１４に課金信号ｋａｋｉｎ＝２を送信し、インターネット接続に対する課金が可能か否かを問い合わせる。そして、課金機１４から応答信号があったか否かを判別する（Ｓ３３）。応答信号なければ、ステップＳ３３の判別を繰り返す。
【００３２】
課金機１４から応答信号が有ったときには（Ｓ３３，ＹＥＳ）、ステップＳ３４に進み、応答信号ｋａ＿ｆｌａｇが「１」か否かを判別する。
課金機１４の応答信号ｋａ＿ｆｌａｇが「１」のとき（Ｓ３４，ＹＥＳ）、つまり課金カードの残高がある場合には、ステップＳ３５に進み、インターネットに接続し、インターネットのウェブサイトの表示データをベッドサイト端末装置１１に送信する。
【００３３】
ステップＳ３４の判別で、課金機１４の応答信号ｋａ＿ｆｌａｇが「０」と判別されたとき（Ｓ３４，ＮＯ）、つまり課金カードに残高がないときには、ステップＳ３６に進み、インターネット信号をオフにしインターネットへの接続を行わない。
【００３４】
上記のステップＳ３０〜Ｓ３６の処理により、ベッドサイド端末装置１１からのインターネットへの接続要求に対して課金カードを利用して適正な課金を行うことができる。
ステップＳ２１において、イントラネット信号がオンと判別されたとき（Ｓ２１，ＹＥＳ）、つまり、ベッドサイド端末装置１１からイントラネットへの接続要求があり、それに対してイントラネットＰＣ制御部１８からイントラネットへの接続を許可する信号が出力されたときには、ステップＳ３７に進み、インターネット信号とＴＶ信号をオフにする。
【００３５】
上記のステップＳ３７の処理により、ベッドサイド端末装置１１がイントラネットに接続されるときには、インターネットとの接続は切断されるのでインターネットと病院内のイントラネットが直接接続されるのを防止できる。
【００３６】
次に、課金機１４に課金信号ｋａｋｉｎ＝０を送信する（Ｓ３８）。そして、課金機１４から応答信号があったか否かを判別する（Ｓ３９）。課金機１４から応答が無ければ、ステップＳ３９の判別を繰り返す。
【００３７】
課金機１４から応答があったときには、ステップＳ４０に進み、アクセスが許可されている電子カルテのメニューまたは各種アプリケーションサーバ２０が提供しているコンテンツのメニューをベッドサイド端末装置１１の表示部に表示させる。
【００３８】
次に、図５は、課金機１４の処理を示すフローチャートである。最初に、切替ユニット１２からの課金信号ｋａｋｉｎを受信する（図５，Ｓ５１）。
次に、受信した課金信号ｋａｋｉｎが「０」か否かを判別する（Ｓ５２）。課金信号ｋａｋｉｎが「０」でなければ（Ｓ５２，ＮＯ）、ステップＳ５３に進み、課金カードが課金機１４のカード挿入口に挿入されているか否かを判別する。
【００３９】
課金カードが挿入されているときには（Ｓ５３，ＹＥＳ）、ステップＳ５４に進み、課金カードの残高が０円か否かを判別する。
課金カードの残高が０円ではないときには（Ｓ５４，ＮＯ）、ステップＳ５５に進み、課金信号ｋａｋｉｎが「１」か否かを判別する。
【００４０】
課金信号ｋａｋｉｎが「１」のときには（Ｓ５５，ＹＥＳ）、つまり、テレビを視聴するための残高があるか否かを問い合わせる課金信号を受信した場合には、ステップＳ５６に進み、課金カードの残高を１時間毎に所定金額づつ減らしていく。そして、減算後の課金カードの残高が０円か否か判別する（Ｓ５７）。
【００４１】
ステップＳ５５で課金信号ｋａｋｉｎが「１」でないと判別されたときには（Ｓ５５、ＮＯ）、ステップＳ５８に進み、課金信号ｋａｋｉｎが「２」か否かを判別する。
ステップＳ５８で課金信号ｋａｋｉｎが「２」と判別されたときには（Ｓ５８，ＹＥＳ）、つまりインターネットに接続するための残高があるか否かを問い合わせる課金信号を受信した場合には、ステップＳ５９に進み、１日単位で課金カードの残高から所定金額を減算する。その後、ステップＳ５７の処理を実行する。
【００４２】
ここで、図６（Ａ）、（Ｂ）を参照して課金信号ｋａｋｉｎとその応答信号ｋａ＿ｆｌａｇについて説明する。
ベッドサイド端末装置１１でテレビを視聴するために切替スイッチ２１がオンされると、切替ユニット１２から、テレビを視聴するための残高が課金カードにあるか否かを問い合わせる課金信号ｋａｋｉｎ＝１が課金機１４に対して出力される。
【００４３】
また、ベッドサイド端末装置１１からインターネットの接続要求があった場合には、切替ユニット１２からインターネット接続に必要な残高が課金カードにあるか否を問い合わせる課金信号ｋａｋｉｎ＝２が課金機１４に対して出力される。
【００４４】
さらに、ベッドサイド端末装置１１からイントラネットの接続要求があった場合には、切替ユニット１２から課金信号ｋａｋｉｎ＝０が課金機１４に対して出力される。
課金機１４は、現在課金中で課金カードに残高がある場合には、課金中であることを示す応答信号ｋａ＿ｆｌａｇ＝１を出力する。また、課金カードの残高が０円の場合には、課金停止を示す応答信号ｋａ＿ｆｌａｇ＝０を出力する。また、イントラネットに接続する場合には、課金なしであることを示す応答信号ｋａ＿ｆｌａｇ＝２を出力する。
【００４５】
図５に戻り、ステップＳ５７でカード残高が０円ではないと判別された場合には（Ｓ５７，ＮＯ）、ステップＳ６０に進み、切替ユニット１２へ課金中であることを示す応答信号であるｋａ＿ｆｌａｇ＝１を送信し、その後ステップＳ５５に戻る。
【００４６】
ステップＳ５７でカード残高が０円と判別されたときには（Ｓ５７，ＹＥＳ）、ステップＳ６１に進み、課金カードをリジェクトする。
ステップＳ６１の次、またはステップＳ５３で課金カードが挿入されていないと判別されたときには（Ｓ５３，ＮＯ）、ステップＳ６２に進み、課金停止の応答信号ｋａ＿ｆｌａｇ＝０を切替ユニット１２へ送信する。
【００４７】
この課金停止の応答信号ｋａｋｉｎ＝０を受信すると、切替ユニット１２は、ベッドサイド端末装置１１に対するテレビの映像信号の出力及びインターネットの接続を中止する。
【００４８】
ステップＳ５２で課金信号ｋａｋｉｎが「０」と判別されたときには（Ｓ５２，ＹＥＳ）、つまりイントラネットへの接続要求であった場合には、ステップＳ６３に進み、切替ユニット１２に課金なしの応答信号ｋａ＿ｆｌａｇ＝２を出力する。
【００４９】
すなわち、イントラネットＰＣ制御部１８からイントラネットへの接続を許可する信号（イントラネット信号オン）が出力され、課金機１４から応答信号ｋａ＿ｆｌａｇ＝２を受信した場合には、切替ユニット１２は、ベッドサイド端末装置１１をイントラネットに接続し電子カルテをアクセスできるようにする。
【００５０】
次に、図７（Ａ）、（Ｂ）は、イントラネットＰＣ制御部１８の処理内容を示すフローチャートである。
ベッドサイド端末装置１１またはイントラネットＰＣ制御部１８にＩＣカードが挿入されたことが検出されると、図７（Ａ）のＩＣカード認識割り込み処理が実行され、ＩＣカードのカード情報が適正か否かを判断し、適正であればＩＣｃａｒｄ＿ｆｌａｇに「１」をセットする（図７（Ａ）、Ｓ７１）。
【００５１】
次に、ＩＣｃａｒｄ＿ｆｌａｇが「１」か否かを判別する（図７（Ｂ）、Ｓ７２）。ＩＣｃａｒｄ＿ｆｌａｇが「１」でなければ、ステップＳ７２の判別を繰り返す。
他方、ＩＣｃａｒｄ＿ｆｌａｇが「１」と判別されたときには（Ｓ７２，ＹＥＳ）、すなわち、挿入されたＩＣカードが適正なカードであった場合には、ステップＳ７３に進み、ベッドサイド端末装置１１のキー入力部から入力されるＩＤコードとパスワードが、電子カルテのアクセス権を有するユーザのＩＤコード及びパスワードと一致するか否か及びそのユーザに対して許可されているアクセス範囲を確認する。
【００５２】
ＩＤコード及びパスワードが、予め登録されているＩＤコード及びパスワードと一致しない場合には（Ｓ７３，ＮＯ）、ステップＳ７４に進み、ＩＣｃａｒｄ＿ｆｌａｇを「０」にクリアする。エラー表示をし（Ｓ７５）、ステップＳ７２に戻る。
【００５３】
入力されたＩＤコード及びパスワードが登録されているＩＤ及びパスワードと一致した場合には（Ｓ７３，ＹＥＳ）、ステップＳ７６に進み、イントラネットへの接続を許可するためにイントラネット信号をオンにして切替ユニット１２に送信する。
【００５４】
次に、入力されたＩＤコードのユーザに対して許可されている電子カルテのメニューを表示し業務処理を開始する（Ｓ７７）。
次に、ベッドサイド端末装置１１のユーザにより要求された電子カルテのデータを電子カルテサーバ１９から読み出し、ベッドサイド端末装置１１に出力する（Ｓ７８）。
【００５５】
上記のステップＳ７８の処理により、医療スタッフ及び患者が、各人がアクセスが許可されている範囲で電子カルテをアクセスして必要な医療情報を入手することができる。
次に、ユーザがイントラネットの接続の終了操作を行ったか否かを判別する（Ｓ７９）。イントラネットの接続の終了操作が行われていなければ、ステップＳ７８に戻る。
【００５６】
他方、終了操作が行われた場合には（Ｓ７９，ＹＥＳ）、ステップＳ８０に進み、電子カルテへのアクセスを終了し、次のステップＳ８１で切替ユニット１２に出力するイントラネット信号をオフにする。
【００５７】
次に、図８は、インターネットＰＣ制御部１５の処理内容を示すフローチャートである。
インターネット接続画面でＩＤコードとパスワードが入力されたなら（図８，Ｓ９１）、入力されたＩＤコード及びパスワードが予め登録されているＩＤコード及びパスワードと一致するか否かをチェックする（Ｓ９２）。ＩＤコードとパスワードが一致しないときには（Ｓ９２，ＮＧ）、ステップＳ９３に進みエラー表示をし、ステップＳ９１に戻る。
【００５８】
他方、入力されたＩＤコード及びパスワードが登録されているＩＤコードとパスワードと一致したときには（Ｓ９２，ＯＫ）、ステップＳ９４に進み、切替ユニット１２へ送信するインターネット信号をオンにする。
【００５９】
そして、公衆回線１７への接続を行いインターネット接続を開始し（Ｓ９５）、アプリケーションサーバ２０により提供される種々のコンテンツや電子メールの送受信を可能にする（Ｓ９６）。
【００６０】
次に、インターネットの接続終了の操作が行われたか否かを判別する（Ｓ９７）。終了の操作が行われていなければ、ステップＳ９７の判別を繰り返す。
インターネット接続の終了操作が行われたときには（Ｓ９７，ＹＥＳ）、ステップＳ９８に進み、回線を切断し、次のステップＳ９９で、切替ユニット１２に送信するインターネット信号をオフにする。
【００６１】
次に、ベッドサイド端末装置１１からイントラネットやインターネットをアクセスするときの動作と、テレビを視聴するときの動作を図９を参照して説明する。
イントラネット上で提供されている電子カルテをアクセスする場合には、最初にベッドサイド端末装置１１の電源をオンする（図１０（Ａ），Ｓ１０１）。次に、イントラネットＰＣ制御部１８が、ＩＣカードの認識、ＩＤコード及びパスワードの認証を行った後、アクセス権限のある電子カルテのデータをベッドサイド端末装置１１に出力する（Ｓ１０２）。
【００６２】
アクセスを終了するときには、イントラネットＰＣ制御部１８が業務処理を終了する（Ｓ１０３）。そして、ベッドサイド端末装置１１の電源をオフにする（Ｓ１０４）。
インターネットをアクセスする場合には、最初にベッドサイド端末装置１１の電源をオンにする（図９（Ｂ）、Ｓ１１１）。次に、切替ユニット１２のテレビ視聴とインターネット接続／イントラネット接続とを切り換える切替スイッチ２１を、インターネット／イントラネット接続側（ＰＣ制御側）に切り換える（Ｓ１１２）。次に、課金機１４に課金カードを挿入する（Ｓ１１３）。
【００６３】
インターネットＰＣ制御部１５が、ベッドサイド端末装置１１から入力されたＩＤコード及びパスワードが登録されているＩＤコード及びパスワードと一致するか否かを判別し、両者が一致した場合には、インターネットの接続を実行する（Ｓ１１４）。さらに、インターネットの接続料金を１日単位で課金する（Ｓ１１５）。
【００６４】
インターネットの接続を終了する場合には、インターネットＰＣ制御部１５が、インターネットとの回線の接続を切断する（Ｓ１１６）。課金機１４から課金カードを抜き取り（Ｓ１１７）、課金機１４は課金を停止する（Ｓ１１８）。最後に、ベッドサイド端末装置１１の電源をオフにする（Ｓ１１９）。
【００６５】
次に、テレビを視聴する場合には、最初にベッドサイド端末装置１１の電源をオンにし（図９（Ｃ）、Ｓ１２１）、課金機１４に課金カードを挿入する（Ｓ１２２）。
ユーザが切替ユニット１２の切替スイッチ２１をテレビの視聴側に切り換え、課金カードに残高が存在すると、ベッドサイド端末装置１１の表示部にテレビの映像が表示される（Ｓ１２３）。テレビの映像を表示させると同時に１時間単位で課金が開始される（Ｓ１２４）。
【００６６】
テレビの視聴を終了する場合には、ユーザが課金機１４から課金カードを抜き取ると（Ｓ１２５）、課金機１４は、切替ユニット１２にテレビの映像信号の出力を中止させ、課金を停止する（Ｓ１２６）。そして、ベッドサイド端末装置１１の電源がオフされる（Ｓ１２７）。
【００６７】
上述した実施の形態によれば、ベッドサイド端末装置１１からインターネットと病院内のイントラネットの両方にアクセスできるようにした場合に、インターネットとイントラネットが直接接続されないようにしたので、インターネットを介して外部から病院内の医療情報システムが不正にアクセスされるのを防止できる。これにより、病院内の医療情報システムを外部のネットワークと完全に分離できるので病院内の医療情報システムのセキュリティ管理が容易になる。
【００６８】
また、切替ユニット１２に接続された課金機１４によりベッドサイド端末装置１１でテレビを視聴しているときの課金、インターネットに接続しているときの課金を利用用途に応じて適正に行うことができる。
【００６９】
本発明は上述した実施の形態に限らず、例えば、以下のように構成しても良い。
（１）実施の形態では、ベッドサイド端末装置１１と別に切替ユニット１２、課金機１４，インターネットＰＣ制御部１５，イントラネットＰＣ制御部１８を設けているが、これらの一部又は全部をベッドサイド端末装置１１と一体に構成しても良い。
（２）切替ユニット１２の構成は、図２に示したものに限らず他の構成でも良い。例えば、切替スイッチ２１を設けずに切替部２２が全ての切り換えを行うようにしても良い。
（３）病院内の医療情報システムへの接続、外部のネットワークへの接続、あるいはテレビの視聴への切り換えを行うための個人の認証方法は、実施の形態に述べたＩＤとパスワードを入力する方法に限らず、鍵の差し込み口と、鍵を検出する手段をベッドサイド端末装置１１、あるいは切替ユニット１２に設け、特定の鍵が差し込まれたときのみ医療情報システムまたは外部のネットワークへのアクセス、あるいはテレビの視聴の何れかが可能となるようにしても良い。あるいは、ＩＣカード、ＲＦＩＤ、生体認証手段等により個人の認証を行い、認証が得られた人のみが医療情報システム、外部のネットワーク、あるいはテレビの視聴ができるようにしても良い。
【図面の簡単な説明】
【００７０】
【図１】ベッドサイド情報システムのシステム構成図である。
【図２】切替ユニットの構成図である。
【図３】切替スイッチの検出処理のフローチャートである。
【図４】切替ユニットの処理のフローチャートである。
【図５】課金機の処理のフローチャートである。
【図６】課金信号と応答信号の説明図である。
【図７】イントラネットＰＣ制御部の処理のフローチャートである。
【図８】インターネットＰＣ制御部の処理のフローチャートである。
【図９】ベッドサイド端末の動作説明図である。
【符号の説明】
【００７１】
１１        ベッドサイド端末装置
１２        切替ユニット
１４        課金機
１５        インターネットＰＣ制御部
１６        インターネット管理サーバ
１８        イントラネットＰＣ制御部
１９        電子カルテサーバ
【図１】
2006020877.tif 000003
【図２】
2006020877.tif 000004
【図３】
2006020877.tif 000005
【図４】
2006020877.tif 000006
【図５】
2006020877.tif 000007
【図６】
2006020877.tif 000008
【図７】
2006020877.tif 000009
【図８】
2006020877.tif 000010
【図９】
2006020877.tif 000011